(57)【要約】【課題】表示画像の色合いと印刷物の色合いのズレを小さくする。【解決手段】画像データに基づいて記録用紙に画像を形成する画像形成装置であって、画像データに基づいた画像を表示する第１の表示手段とを備え、第１の表示手段は、少なくとも、第１の電極と、第１の電極に電圧を印加されて発色する減法混色の発色材料を封止する発色層とを含む。【選択図】図２
2014099726.tif 000002
【特許請求の範囲】
【請求項１】
画像データに基づいて記録用紙に画像を形成する画像形成装置であって、
前記画像データに基づいた画像を表示する第１の表示手段とを備え、
前記第１の表示手段は、少なくとも、第１の電極と、前記第１の電極に電圧を印加されて発色する減法混色の発色材料を封止する発色層とを含むことを特徴とする画像形成装置。
【請求項２】
前記発色層はエレクトロクロミック素子層であることを特徴とする請求項１記載の画像形成装置。
【請求項３】
前記発色層はエレクトロウェッティング素子層であることを特徴とする請求項１記載の画像形成装置。
【請求項４】
前記画像データに基づいた画像を表示する第２の表示手段をさらに備え、
前記第２の表示手段は、少なくとも、第２の電極と、前記第２の電極に電圧を印加されて発色する加法混色の発色材料を封止する発色層を含むことを特徴とする請求項１から３の何れか１項に記載の画像形成装置。
【請求項５】
前記第１の表示手段と前記第２の表示手段とが積層構造をなすことを特徴とする請求項４記載の画像形成装置。
【請求項６】
ユーザーの選択操作を受け付けて前記第１の表示手段による表示および前記第２の表示手段による表示を相互に切り替える表示切替制御手段をさらに備えることを特徴とする請求項５記載の画像形成装置。
【請求項７】
前記第１の表示手段および前記第２の表示手段は、前記記録用紙に形成される画像をプレビュー表示することを特徴とする請求項４から６の何れか１項に記載の画像形成装置。
【請求項８】
ユーザーに誤認傾向のある色データと、ユーザーに認識可能な色データとを対応させたテーブルを登録する登録手段と、
前記登録手段に登録されたテーブルを参照して、前記画像データに含まれている前記誤認傾向のある色データを前記認識可能な色データに変換する色変換手段とをさらに備えることを特徴とする請求項１から７の何れか１項に記載の画像形成装置。
【請求項９】
前記登録手段は、特定のユーザーに対応した前記テーブルを登録することを特徴とする請求項８記載の画像形成装置。
【請求項１０】
ユーザーを認証する認証手段をさらに備えることを特徴とする請求項１から９の何れか１項に記載の画像形成装置。
【請求項１１】
画像データに基づいた画像を表示する情報機器と、前記画像データに基づいて記録用紙に画像を形成する画像形成装置とがネットワークにより接続された画像形成システムであって、
前記情報機器は、前記画像形成装置に前記画像データを送信する通信手段と、少なくとも、第１の電極と、前記第１の電極に電圧を印加されて発色する減法混色の発色材料を封止する発色層とを含む表示手段とを備えることを特徴とする画像形成システム。
【請求項１２】
画像形成装置が記録用紙に画像を形成するための画像データをネットワークにより接続された前記画像形成装置に送信する通信手段と、
前記画像データに基づいた画像を表示する表示手段とを備え、
前記表示手段は、少なくとも、第１の電極と、前記第１の電極に電圧を印加されて発色する減法混色の発色材料を封止する発色層とを含むことを特徴とする情報機器。
【発明の詳細な説明】
【技術分野】
【０００１】
本発明は、画像形成装置、画像形成システム、および情報機器に関する。
【背景技術】
【０００２】
従来から、フルカラー画像を印字するデジタルフルカラー複写機や、フルカラー画像を電子データ化するデジタルフルカラースキャナ装置や、フルカラー画像の印字機能およびスキャナ機能およびＦＡＸ機能など１つに備えたデジタルフルカラー複合機が知られている。そして、このデジタルフルカラー複合機においては、元の画像を忠実に再現するように印字、あるいは元の画像を忠実に読み取って電子化などを行っている。
【０００３】
しかし、従来のデジタルフルカラー複合機は健常者を対象に設計されている。このため、元の画像を忠実に再現するように印字された印刷物や元の画像を忠実に読み取って電子化された表示画像は、色覚異常を訴えるユーザーにとっては、読み取りが困難であり、誤解や勘違いを引き起こしてしまう可能性があった。
【０００４】
そこで、特許文献１には、色盲および色弱者ユーザーに対して、見易く、誤解のない画像出力、表示を図る目的で、予め登録された色盲および色弱者にとって誤認傾向のある色に関する情報を参照して、外部から入力された画像データに誤認要因となる色が含まれているか判断する判断部と、誤認要因が存在する場合に所定の色に変換する画像変換部、画像データを表示する表示部を備えた画像形成装置が記載されている。
【発明の概要】
【発明が解決しようとする課題】
【０００５】
ところで、上記のようなデジタルフルカラー複合機のディスプレイには液晶ディスプレイが使用されるのが一般的である。また、機種によっては、ディスプレイ上に印刷結果を簡便に表すプレビュー画面を表示できるものがある。
【０００６】
そして、上記のプレビュー画面、つまり液晶ディスプレイに表示される印刷結果と、実際に印刷した印刷物を見比べると、両者の色合いが異なる場合がある。その理由は、両者で発色方法、つまり色の表現方法が異なるためである。
【０００７】
例えば、液晶ディスプレイの発色プロセスはＲ（赤）・Ｇ（緑）・Ｂ（青）の三原色の混色を利用した加法混色であるのに対し、デジタルフルカラー複合機による印刷出力における発色プロセスはＣ（シアン）・Ｍ（マゼンタ）・Ｙ（イエロー）の混色を利用した減法混色である。
【０００８】
上述のように、特許文献１に記載の画像形成装置は、色覚異常を訴えるユーザーを含むユーザーに対して、見易く、誤解の無い画像の出力および表示をすることが可能である。しかし、上述の通り、ディスプレイに使用される液晶ディスプレイの発色プロセスと印刷出力における発色プロセスが異なることから、表示画像と印刷物との色合いは必然的にずれてしまうという問題がある。
【０００９】
本発明は、このような実情に鑑みてなされたものであって、表示画像の色合いと印刷物の色合いのズレを小さくすることを目的とする。
【課題を解決するための手段】
【００１０】
上記の課題を解決するため、本発明の画像形成装置は、画像データに基づいて記録用紙に画像を形成する画像形成装置であって、画像データに基づいた画像を表示する第１の表示手段とを備え、第１の表示手段は、少なくとも、第１の電極と、第１の電極に電圧を印加されて発色する減法混色の発色材料を封止する発色層とを含むことを特徴とする。
【発明の効果】
【００１１】
本発明によれば、表示画像の色合いと印刷物の色合いのズレを小さくすることができる。
【図面の簡単な説明】
【００１２】
【図１】本発明の実施形態の画像形成装置および画像形成システムの概略図である。
【図２】本発明の実施形態の操作表示部に用いる電子ペーパの概略構成断面図である。
【図３】本発明の実施形態の画像形成装置の機能を示すブロック図である。
【図４】本発明の実施形態の画像形成装置の処理ブロック図である。
【図５】本発明の実施形態の操作表示部においてカラー設定を行う表示画面例である。
【図６】本発明の実施形態の操作表示部においてカラー編集を行う表示画面例である。
【図７】本発明の実施形態の操作表示部においてカラー編集を行う表示画面例である。
【図８】本発明の実施形態の操作表示部においてユーザー設定を行う表示画面例である。
【図９】本発明の実施形態の操作表示部においてユーザー設定を行う表示画面例である。
【図１０】本発明の実施形態の操作表示部においてプレビュー画面を見ながらカラー編集を行う表示画面例である。
【図１１】本発明の実施形態の操作表示部における液晶パネルと電子ペーパの切り替えを行う表示画面例である。
【図１２】本発明の実施形態の操作表示部における液晶パネルと電子ペーパの積層構造の概略断面図である。
【発明を実施するための形態】
【００１３】
本発明の実施形態の画像形成装置について以下図面を用いて説明するが、本発明の趣旨を越えない限り、何ら本実施形態に限定されるものではない。なお、各図中、同一又は相当する部分には同一の符号を付しており、その重複説明は適宜に簡略化乃至省略する。
【００１４】
本発明は、概略的には、デジタルフルカラー複合機などの画像形成装置に備わる操作部のディスプレイにエレクトロクロミック方式等を採用した電子ペーパを採用することで、ディスプレイ表示内容の色合いと印刷物との色合いが異なる点を改善できることを特徴としている。これにより、例えば、色覚異常を訴えるユーザーには見易く、誤解のない印刷物の提供を可能としている。
【００１５】
なお、以下では、色覚異常を訴えるユーザーが本実施形態の画像形成装置１を使用する態様について説明するが、本発明はこれに限定されず、通常のユーザーに適用されるものであってもよい。例えば、ディスプレイ上で画像の色合い等を設定した場合に、設定した画像と遜色のない色合いの印刷物を取得することができるので、通常のユーザーにも便宜である。
【００１６】
本発明の実施形態の画像形成装置および画像形成システムの概略構成について図１を用いて説明する。図１（ａ）には、本実施形態の画像形成装置１の概略構成を表している。本実施形態の画像形成装置１には、例えば該装置の上部左下方向に図示するように、画像データに基づいた画像を表示する第１の表示手段としてのディスプレイ１０が設けられている。また、本実施形態の画像形成装置１には、例えば該装置の上部左上方向に図示するように、画像データに基づいた画像を表示する第２の表示手段としてのサブディスプレイ１１が設けられている。
【００１７】
本実施形態の画像形成装置１は、ディスプレイ１０に、従来から使用されてきた液晶パネルではなく、エレクトロクロミック方式またはエレクトロウェッティング方式の電子ペーパを採用する。エレクトロクロミック方式およびエレクトロウェッティング方式における発色プロセスは、デジタルフルカラー複合機などの画像形成装置の発色プロセスと同じ減法混色である。このため、電子ペーパを採用するディスプレイ１０に表示される表示内容と印刷物の色合いは近いものとなる。
【００１８】
また上記に限らず、本実施形態の画像形成装置１は、ディスプレイ１０に液晶パネルを使用し、別途、サブディスプレイ１１に上述の電子ペーパを使用する構成であってもよい。ディスプレイ１０に液晶パネルを採用することにより、従来からの液晶パネルによる画面表示を好むユーザーに対応することができる。そして、オプションとして、例えば着脱式のサブディスプレイに電子ペーパを採用して、色覚異常を訴えるユーザー等に対応することができる。このようにすることで、画像形成装置としての汎用性を維持することができる。
【００１９】
なお、ディスプレイ１０に電子ペーパを使用し、サブディスプレイ１１に液晶パネルを使用する構成であってもよい。さらに、上述とは異なり、ディスプレイ１０に電子ペーパと液晶パネルを重ねて設ける積層構造としてもよいが、これについては後述する。
【００２０】
なお、本発明は、画像形成装置と情報機器とがネットワークにより接続された画像形成システムとして構成されるものであってもよい。例えば、図１（ｂ）に示すように、本実施形態の画像形成システムは、画像データに基づいた画像を表示する情報機器としてのスマートフォン等の携帯情報端末５０と、画像データに基づいて記録用紙に画像を形成する画像形成装置２０とがインターネットやＬＡＮ等のネットワーク６０により接続された構成をとる。
【００２１】
そして、携帯情報端末５０は、画像形成装置２０に画像データを送信する例えば無線通信を利用した不図示の通信手段と、画像データを表示する表示手段としてのディスプレイ５１を備える。そして、ディスプレイ５１には、エレクトロクロミック方式またはエレクトロウェッティング方式の電子ペーパを採用する。
【００２２】
本実施形態の画像形成システムの上述した構成とすることにより、携帯情報端末５０により送信された画像データに基づいて画像形成装置２０により印刷された画像の色合いと、携帯情報端末５０の表示部５１に表示された画像の色合いとを近いものとすることができる。
【００２３】
次に、本実施形態の画像形成装置１のディスプレイ１０等に採用される電子ペーパの概略構造について図２を用いて説明する。図２（ａ）は、エレクトロクロミック方式の電子ペーパの概略構造を示す断面図である。また、図２（ｂ）は、エレクトロウェッティング方式の電子ペーパの概略構造を示す断面図である。なお、本実施形態のディスプレイ１０に採用される電子ペーパの方式は、エレクトロクロミック方式およびエレクトロウェッティング方式の何れであってもよい。
【００２４】
まず、エレクトロクロミック方式およびエレクトロウェッティング方式の電子ペーパは、共通する特徴として、少なくとも、第１の電極としての電極と、該電極に電圧を印加されて発色する減法混色の発色材料を封止する発色層とを含んでいる。減法混色とは、色料の三原色と呼ばれるＣ（シアン）・Ｍ（マゼンタ）・Ｙ（イエロー）の染料を使った混色という。Ｃ・Ｍ・Ｙの三波長は、混色するとお互いの波長のある範囲を吸収する性質を帯びており、混色を重ねるごとにどんどん暗い色になることから減法混色と呼ばれている。
【００２５】
図２（ａ）に示すように、エレクトロクロミック方式の電子ペーパは、例えば、図示の上方から、上部透明基板７１と、透明電極層７２と、マゼンタの発色層７３と、絶縁層７４と、透明電極層７２と、イエローの発色層７５と、絶縁層７４と、シアンの発色層７６と、白反射層７７と、下部透明基板７９とが電解質層７８を介して積層された構造をとる。下部透明基板７９上には、不図示の対極電極が設けられている。
【００２６】
そして、エレクトロクロミック方式とは、上述の構成でいえば、透明電極層７２に例えば発色層７３からマゼンタの有機染料を吸着させ、発色層７３を挟む両電極から電解質層７８を通して電圧を印加して、有機染料を電気的に可逆的に酸化・還元状態にすることにより発色させる方式をいう。なお、本発明において、上述した発色層７３、発色層７５、及び発色層７６をエレクトロクロミック素子層とする。
【００２７】
エレクトロクロミック方式の電子ペーパにおいては、例えば、不図示のスイッチング素子から電圧を印加されることにより、上記の各発色層に隣接する透明電極層７２を切り替えながら不図示の表示層を発色させることでカラー画像を表示している。
【００２８】
他方、図２（ａ）に示すように、エレクトロウェッティング方式の電子ペーパは、例えば、図示の上方から、水分層８１と、オイル層８２と、疎水性表面を構成するフッ素樹脂層８３と、透明電極層８４と、白反射層８５と、下部基板８６とが積層された構造をとる。水分層８１とオイル層８２は壁８７により覆われている。オイル層８２の油は染料で自由に着色することができる。つまり、オイル層８２の油にＣ（シアン）・Ｍ（マゼンタ）・Ｙ（イエロー）の染料を着色することで、減法混色の発色材料を封止する発色層として機能することになる。
【００２９】
そして、エレクトロウェッティング方式とは、上述の構成でいえば、上述のオイル層８２に不図示のスイッチング素子から透明電極層８４にかけられた電圧により表面張力を変化させ、オイル層８２の油の形状を変形させて発色させる方式をいう。なお、本発明において、水分層８１と、オイル層８２と、フッ素樹脂層８３とを含む構成をエレクトロウェッティング素子層とする。
【００３０】
より具体的には、透明電極層８４にかけられた電圧によりフッ素樹脂層８３の疎水性を親水性に変化させることでオイル層８２の油の形状が変形・移動して、白反射層８５の色が不図示の表示層に表示される。これにより、減法混色の発色作用をはたらかせる。
【００３１】
次に、本実施形態の画像形成装置１のハードウェア構成の概略について図３を用いて説明する。本実施形態の画像形成装置１は、ＣＰＵ（セントラルプロセッシングユニット）１０１と、ＲＯＭ（リードオンリーメモリ）１０２と、ＲＡＭ（ランダムアクセスメモリ）１０３と、不揮発ＲＡＭ１０４と、Ｉ／Ｏ制御（インプットアウトプット制御）１０５と、センサ１０６と、負荷１０７とがバス１００によって接続されている。
【００３２】
さらに、本実施形態の画像形成装置１は、ＦＤＤ（フレキシブルディスクドライブ）１０８と、ＦＤ（フレキシブルディスク）１０９と、ＨＤＤ（ハードディスクドライブ）１１０と、ＨＤ（ハードディスク）１１１と、ディスプレイ１１２と、ＮＣＵ（ネットワークコントロールユニット）１１３と、ＦＣＵ（ファクシミリコントロールユニット）１１４と、キーボード１１５と、マウス１１６と、出力部１１７がバス１００によって接続されている。
【００３３】
ＣＰＵ１０１は、装置全体を制御する。ＲＯＭ１０２には、基本入出力プログラムが記憶されている。ＲＡＭ１０３は、ＣＰＵ１０１のワークエリアとして使用される。不揮発ＲＡＭ１０４は、電源を切ってもデータを保持しておくことが可能であり、後述する各種テーブルを格納している。センサ１０６は文字や画像の光学的な読み取りなど各種入力を実施する。Ｉ／Ｏ制御１０５は、センサ１０６からの入力データと、モータやクラッチやソレノイドなどの負荷１０７を制御する。
【００３４】
ＦＤＤ１０８は、ＣＰＵ１０１の制御にしたがってＦＤ１０９に対するデータのリード／ライトの制御を行う。ＦＤ１０９は着脱自在になっており、ＦＤＤ１０８の制御にしたがって書き込まれたデータを記憶する。また、ＨＤＤ１１０は、ＣＰＵ１０１の制御にしたがってＨＤ１１１に対するリード／ライトの制御を行う。ＨＤ１１１はＨＤＤ１１０の制御にしたがって、書き込まれたデータを記憶する。
【００３５】
ディスプレイ１１２は、カーソル、メニュー、ウインドウ、あるいは文字や画像などの各種データの表示を行う。ＦＣＵ１１４は、公衆回線を介してファクシミリ機能を実現させる。キーボード１１５は、各種情報の入力を行う。マウス１１６は、ディスプレイ１１２に表示されたカーソル、メニュー、ウインドウの移動や選択、開閉操作を行う。出力部１１７は入力されたコピーやスキャンなどの入力データや表示データをプリントなどの出力を行う。
【００３６】
ＮＣＵ１１３は通信ケーブル１１８を介してネットワーク１１９と接続する。また、通信ケーブル１２０、１２１を介してインターネットなどのネットワーク１１９とプリンタなどの出力機器１２２や、ＰＣ（パーソナル・コンピュータ）等の外部端末１２３などと接続ができる。
【００３７】
また、本発明における画像形成装置１は、これら機能をすべて兼ね備えた機器に限らない。例えば、通信ケーブル１２０を介してインターネットなどのネットワーク１１９と接続された出力機器１２２によって、コピーやスキャンなどの入力データや表示データをプリントなどの出力を行う構成としてもよい。
【００３８】
あるいは、キーボード１１５が行う各種情報の入力や、マウス１１６の各種操作や、ディスプレイ１１２の表示や、ＦＤ１０９およびＨＤ１１１が行うデータのリード／ライトなどを通信ケーブル１２１を介してインターネットなどのネットワーク１１９に接続された外部端末１２３で行う構成とてもよい。
【００３９】
なお、上述のハードウェア構成におけるディスプレイ１１２は、例えば上述した図１（ａ）に図示する本実施形態の画像形成装置１におけるディスプレイ１０及びサブディスプレイ１１に相当する。また、上述のハードウェア構成における外部端末１２３は、例えば上述した図１（ｂ）に図示する本実施形態の画像形成システムにおける携帯情報端末５０に相当する。
【００４０】
次に、本実施形態の画像形成装置１の処理ブロックについて図４を用いて説明する。本実施形態の画像形成装置１は、認証部２０１と、画像形成部２０２と、第１の表示部２０３と、第２の表示部２０４と、表示切替表示部２０５と、記録部２０６と、色変換部２０７とを備える。
【００４１】
認証部２０１は、ＩＤカードに登録されたユーザー情報を読み込んでユーザー認証を行う。認証方式としては、例えば、ＲＦＩＤのような、個人情報や製品情報などをＩＣチップ内のメモリーに記録しておき、それを無線で読み出す非接触型の認証技術を採用するが、これに限定されない。
【００４２】
画像形成部２０２は、画像データに基づいて記録用紙に画像を形成する。画像形成部２０２は、上述のハードウェア構成における出力部１１７に相当する。
【００４３】
第１の表示部２０３は、例えば上述した本実施形態の画像形成装置１における電子ペーパを使用したディスプレイ１０が相当する。なお、サブディスプレイ１１に電子ペーパを使用する場合は、サブディスプレイ１１が第１の表示部２０３となる。
【００４４】
また、第２の表示部２０４は、例えば上述した本実施形態の画像形成装置１における液晶パネルを使用したサブディスプレイ１１が相当する。なお、ディスプレイ１０に液晶パネルを使用する場合は、ディスプレイ１０が第２の表示部２０４となる。本実施形態の第２の表示部２０４は、少なくとも第２の電極としての電極と、第２の電極に電圧を印加されて発色する加法混色の発色材料を封止する発色層を含む。
【００４５】
表示切替制御部２０５は、後述の積層構造とした場合に、例えば本実施形態の画像形成装置１に備わる不図示の操作部からのユーザーの選択操作を受け付けて、第１の表示部２０３による表示から第２の表示部２０４による表示に切り替える。つまり、本実施形態の第１の表示部２０３及び第２の表示部２０４を不図示の駆動手段により共に通常駆動させた場合、第１の表示部２０３による表示画面と第２の表示部２０４による表示画面が重なってしまうことから、これを防ぐために表示切替制御部２０５を設けている。
【００４６】
例えば、表示切替制御部２０５は、上記の駆動手段を周知の電気的制御により制御することで、第１の表示部２０３による表示画面と第２の表示部２０４による表示画面とが重ならないように２つの表示部の表示を相互に切り替えている。
【００４７】
登録手段としての記録部２０６は、例えば、色覚異常を訴えるユーザーに誤認傾向のある色データと、色覚異常を訴えるユーザーに認識可能な色データとを対応させたテーブルを登録する。記録部２０６は例えば上述したハードウェア構成におけるＨＤ１１１が相当する。また、記録部２０６は、色覚異常を訴える特定のユーザーごとに対応する上記テーブルを登録するものであってもよい。なお、記録部２０６は、上記テーブル以外に、例えば外部端末１２３等から受信した画像データや、ユーザーを特定するユーザー情報を記録することとしてもよい。
【００４８】
色変換部２０７は、記録部２０６に登録されたテーブルを参照して、画像データに含まれている誤認傾向のある色データを認識可能な色データに変換する。例えば、変換された認識可能な色データに基づいた画像を第１の表示部２０３としてのディスプレイ１０に表示させることにより、色覚異常を訴えるユーザーに対する表示画像の見易さが向上する。
【００４９】
また、色覚異常を訴える特定のユーザーごとに対応するテーブルを登録しておけば、例えば、認証部２０１により特定のユーザーの情報を読み込んで当該ユーザーを認証し、認証された当該ユーザーに対応するテーブルに基づいて色変換部２０７により自動的に色変換を行うことができる。
【００５０】
なお、上述において、不図示の操作部について記載したが、これは本実施形態の画像形成装置１における第１の表示部２０３としてのディスプレイ１０が、同時にユーザーのタッチ操作を受け付けるタッチパネルとして備わるものであってよい。この場合、ディスプレイ１０には、ユーザーのタッチ操作を受け付けるための操作アイコン等が表示されることになる。
【００５１】
また、上記タッチパネルに限定されず、本実施形態の画像形成装置１における第１の表示部２０３としてのディスプレイ１０とは別に不図示の操作部が単独で搭載されるものであってもよい。
【００５２】
次に、本実施形態の画像形成装置１を用いて、色覚異常を訴えるユーザーがディスプレイ１０によりカラー編集等を行う手法について、図５から図１１に示すディスプレイ１０に表示される設定画面例を用いて説明する。
【００５３】
まず、色覚異常を訴えるユーザーによるカラー設定方法について図５を用いて説明する。図５（ａ）は、本実施形態の画像形成装置１のディスプレイ１０の周辺構成を表したものである。図示のとおり、ここでは、電子ペーパを採用するディスプレイ１０に表示画面４０１が表示される。そして、表示画面４０１の右側に、ユーザーの操作を受け付ける操作部４０２と、メニューボタン４０３とが設けられている。なお、ディスプレイ１０、操作部４０２、及びメニューボタン４０３の配置が図示の配置に限定されるものでないことは言うまでもない。
【００５４】
図５（ｂ）に示すように、例えば、色覚異常を訴えるユーザーがメニューボタン４０３を押すことにより、表示画面４０１に初期設定を受け付けるメニューが表示される。ここでは、言語設定メニューと、日付設定メニューと、色覚異常ユーザー設定メニューとが表示されている。色覚異常を訴えるユーザーが操作部４０２を使用して『色覚異常ユーザー設定メニュー』を選択することで、図５（ｃ）に示すように、それぞれが苦手とする色合いを指定できる画面へ遷移する。ここでは、苦手とする色として、赤と、青と、緑が例示されている。
【００５５】
色覚異常を訴えるユーザーが、表示された色のうち苦手とする色を選択することで、記録部２０６に登録された色変換テーブルに基づき、色変換部２０７により、上記の選択された色から色覚異常を訴えるユーザーが認識可能な色に変換される。これにより、色覚異常を訴えるユーザーに対して、表示画面４０１に表示される画像の見易さを向上させることができる。
【００５６】
次に、表示画面４０１に表示されるカラー編集メニューについて、図６を用いて説明する。なお、ここでは表示画面４０１を表示させるディスプレイ１０に、ユーザーのタッチ操作を受け付けるタッチパネルが搭載されているものとする。
【００５７】
図６（ａ）に示すように、ユーザーが表示画面４０１に表示された『カラー編集』部位をタッチすると、例えば図６（ｂ）に示すようにカラー編集メニューとして、カラー変換メニューと、指定色削除メニューと、カラーバランス調整メニューが表示された画面に遷移する。
【００５８】
図７を用いて、上記のカラー編集メニューとして表示される、カラー変換メニューと、指定色削除メニューと、カラーバランス調整メニューについてそれぞれ説明する。図７（ａ）は、図６（ｂ）で示したカラー編集メニュー表示においてユーザーの選択操作を受け付けて、その後遷移したカラー変換メニューの表示画面例を表したものである。
【００５９】
ここでは、例えば、『カラー変換する色を指定して下さい。』という表示がなされ、その下にユーザーのタッチ操作を受け付けるアイコンが表示されている。ユーザーがこのアイコンにタッチすると、色変換を受け付ける色候補が表示される。ここでは、図５において説明した、色合いを指定できる画面において、ユーザーが選択した苦手とする色が表示される。
【００６０】
また、同じ画面の下方には、『変換後の色を指定して下さい。』という表示がなされ、その下にユーザーのタッチ操作を受け付けるアイコンが表示されている。ユーザーがこのアイコンにタッチすると、変換後の色候補が表示される。ここでは、ユーザーが選択した苦手とする色に対応する色候補が、上述した記録部２０６に登録されたテーブルに基づいて表示される。
【００６１】
図７（ｂ）は、図６（ｂ）で示したカラー編集メニュー表示においてユーザーの選択操作を受け付けて、その後遷移した指定色削除メニューの表示画面例を表したものである。ここでは、例えば『削除する色を指定して下さい。』という表示がなされ、その下にユーザーのタッチ操作を受け付けるアイコンが表示されている。例えばユーザーがこのアイコンにタッチすると、上述した苦手とする色としてユーザーが選択した色が削除する色候補として表示される。
【００６２】
図７（ｃ）は、図６（ｂ）で示したカラー編集メニュー表示においてユーザーの選択操作を受け付けて、その後遷移したカラーバランス調整メニューの表示画面例を表したものである。ここでは、例えば『カラーバランスを調整して下さい。』という表示がなされ、その下にイエロー・シアン・マゼンタ・ブラックのカラーバランスを調整するための色アイコンが表示されている。
【００６３】
ユーザーは、上記の色アイコンをタッチすることにより、カラーバランスが調整される。例えば、各色の左方向に配された色アイコンをタッチすると各色の色味が減少し、各色の右方向に配された色アイコンをタッチすると各色の色味が増すことになる。なお、上述したカラー編集メニュー表示は、一例であり、これらに限定されるものではない。
【００６４】
次に、上述したカラー設定においてユーザーが設定した内容を保存する設定を行うときに表示されるユーザー基本設定保存メニュー画面の表示例について図８を用いて説明する。ここでは、図８（ａ）に示すように、ユーザーが表示画面４０１に表示されるカラー編集アイコン４０４をタッチすると、図８（ｂ）に示すように『ユーザー基本設定保存メニュー』が選択肢の１つとして表示される。そして、表示された『ユーザー基本設定保存メニュー』を選択することで、例えばそれまでにユーザーが設定した編集内容をユーザー基本設定として、ＨＤ１１１等の記録部２０６に保存することができる。
【００６５】
さらに、上述したユーザー基本設定保存を実行した後、ユーザーが保存された基本設定を読み込む方法について説明する。画像形成装置１の使用時に認証部２０１にＩＤカードを読み込ませる場合は、ＩＤカードに記録されたユーザー情報に基づいて、特定のユーザーが設定した基本設定が読み込まれるものとする。
【００６６】
一方、ＩＤカードを読み込ませない場合は、図９（ａ）に示すように、まずメニューボタン４０３を押すことにより、図９（ｂ）に示すメニュー画面を表示画面４０１に表示させる。そして、ユーザーが、メニュー画面の最下段に表示される『ユーザー基本設定読み込み』を選択すると、図９（ｃ）に示すように、設定保存されたユーザー一覧が表示される。ここでは、ユーザー一覧として、Ａさん、Ｂさん、Ｃさんが表示されている。
【００６７】
例えば自分がＡであるときは、ユーザーが『Ａさん』をタッチすることで自分用に保存された基本設定を記録部２０６から読み込まれ、読み込まれた基本設定に基づいて自分用のカラー設定が自動的になされることになる。
【００６８】
次に、本実施形態の画像形成装置１のディスプレイ１０に表示される表示画面４０１にプレビュー表示させ、該プレビュー画面を見ながらカラー編集を行う方法について、図１０を用いて説明する。
【００６９】
ここで、例えばユーザーが、印刷開始前に表示画面４０１に表示される不図示の『プレビュー画面確認』をタッチしておくとする。この場合、ユーザーがその後不図示の印刷ボタンを押しても、すぐには印刷処理が開始されずに印刷処理が一旦停止し、印刷結果を確認するためのプレビュー画面が表示画面４０１に表示される。そして、ユーザーがプレビュー画面を確認した後で、もう一度印刷ボタンを押すと印刷処理が再開される。
【００７０】
本実施形態においては、上述した印刷処理が一旦停止しているときに、表示画面４０１に表示されるプレビュー画面を見ながらカラー編集を行う。図１０（ａ）に示すように、ここでは、例えばプレビュー画面として所定のマップ表示４１０が表示画面４０１に表示されているものとする。マップ表示４１０の下側にはカラー編集アイコン４０４が表示されている。
【００７１】
図示のようにユーザーがカラー編集アイコン４０４をタッチすると、図１０（ｂ）に示すように、縮小されたマップ表示４１０ａが表示画面の左側半分に表示され、新たにカラー編集画面として、例えばカラーバランスを変更するためのアイコン表示４１１が表示画面４０１の右側半分に表示された画面に遷移する。
【００７２】
これにより、ユーザーは、プレビュー画面として表示されたマップ表示４１０ａの色合いを確認しつつ、上述したカラー編集処理を実行することにより、見易い色合いに変更することができる。このように、カラー編集処理を実行した結果が即座にプレビュー画面に反映され、出力される印刷物の色合いを動的に確認できることは、とりわけ色覚異常を訴えるユーザーにとって効果的である。
【００７３】
次に、ディスプレイ１０を、電子ペーパと液晶パネルを重ねて設ける積層構造とした場合に、電子ペーパにより所定の画像を表示させるか、液晶パネルにより所定の画像を表示させるかをユーザーの選択操作により切り替える制御処理について、図１１及び図１２を用いて説明する。
【００７４】
ここで、電子ペーパは非発光表示であるため眼への負担が少なく、紙に近い見易さを提供でき、さらに表示が保持されている時の消費電力をほとんど必要としないというメリットがある。一方で、液晶パネルに比べて色再現範囲が狭く、表示切替に時間がかかるなどのデメリットもある。
【００７５】
また、画像形成装置等に備わるディスプレイにはほとんど液晶パネルが採用されているため、液晶パネルによる表示に慣れたユーザーが多く、基本的に液晶パネルで画面を表示させたいと考えるユーザーが多いことが予想される。
【００７６】
そこで、ディスプレイ１０を、電子ペーパと液晶パネルを重ねて設ける積層構造とした場合は、印刷物に近いプレビュー画面表示を表示させるために、プレビュー画面を表示する際やカラー編集を実行するときだけ、電子ペーパによる表示に切り替えることとする。
【００７７】
まず、図１１（ａ）に示すように、ユーザーがメニューボタン４０３を押すと、図１１（ｂ）に示すように、メニュー画面が表示画面４０１に表示される。ユーザーが、表示画面４０１に表示されたメニュー画面の中から『画面表示切替』を選択すると、図１１（ｃ）に示すように液晶パネルによる表示か、電子ペーパによる表示かを選択する『画面表示切替』画面に遷移する。そして、ユーザーが、例えば電子ペーパを選択したときは、ディスプレイ１０による表示は電子パネルによる表示に切り替わる。
【００７８】
次に、電子ペーパと液晶パネルを重ねて設ける積層構造と、両者の表示を切り替える構成について図１２を用いて説明する。図のように、ここでは、電子ペーパ５０１が液晶パネル５０２に積層される構成をとる。そして、電子ペーパ５０１及び液晶パネル５０２と、表示切替制御部２０５とが、制御信号線５０３及び５０４を介して接続されている。
【００７９】
上述したように、ユーザーが『画面表示切替』表示画面において、例えば電子ペーパを選択すると、その選択操作を伝達する信号が表示切替制御部２０５に送信される。その信号を受信した表示切替制御部２０５は、制御信号線５０３及び５０４を介して不図示の駆動手段を周知の電気的制御により液晶パネルに印加する電圧を制御することで、電子ペーパによる表示が液晶パネルによる表示に妨げられないようにしている。
【符号の説明】
【００８０】
１、２０    画像形成装置
１０、５１    ディスプレイ
１１    サブディスプレイ
５０    携帯情報端末
６０    ネットワーク
７１    上部透明基板
７２、８４    透明電極層
７３、７５、７６    発色層
７４    絶縁層
７７、８５    白反射層
７８    電解質層
７９    下部透明基板
８１    水分層
８２    オイル層
８３    フッ素樹脂層
８６    下部基板
８７    壁
２０１    認証部
２０２    画像形成部
２０３    第１の表示部
２０４    第２の表示部
２０５    表示切替表示部
２０６    記録部
２０７    色変換部
４０１    表示画面
４０２    操作部
４０３    メニューボタン
４０４    カラー編集アイコン
４１０、４１０ａ    マップ表示
４１１    アイコン表示
５０１    電子ペーパ
５０２    液晶パネル
５０３、５０４    制御信号線
【先行技術文献】
【特許文献】
【００８１】
【特許文献１】特開２００６−２４６０７２号公報
【図１】
2014099726.tif 000003
【図２】
2014099726.tif 000004
【図３】
2014099726.tif 000005
【図４】
2014099726.tif 000006
【図５】
2014099726.tif 000007
【図６】
2014099726.tif 000008
【図７】
2014099726.tif 000009
【図８】
2014099726.tif 000010
【図９】
2014099726.tif 000011
【図１０】
2014099726.tif 000012
【図１１】
2014099726.tif 000013
【図１２】
2014099726.tif 000014